(57)【要約】【課題】先端の鈎部の埋込孔への引っかかりやすさを損なうことなく、天井材の損傷を低減又は防止するＬＥＤ照明装置を提供する。【解決手段】ＬＥＤ照明装置は、天井材ｍの埋め込み孔ｍｈへ挿入されて取り付けられる。ＬＥＤ照明装置は、ＬＥＤ素子１０が配置されるＬＥＤ基板１と、ＬＥＤ素子１０からの光を下方に照射する筒状の外筒５と、外筒５の外周面に筒軸回りに放射状に取り付けられる長尺状の金属板バネである固定バネ６と、を備える。固定バネ６は、基端６０が外筒５に取り付けられ、先端に、抜脱時に埋め込み孔ｍｈに引っかかる鈎部６１が形成されている。固定バネ６は、先端側が径方向内側へ近づくように基端側で曲げられることで蓄積された弾性反発力で天井材ｍを押圧する。固定バネ６のうち基端側の曲げられる部位は、鈎部６１に比べて板幅が狭く形成されている。【選択図】図５
2016207375.tif 000002
【特許請求の範囲】
【請求項１】
天井材の埋め込み孔へ挿入されて取り付けられるＬＥＤ照明装置であって、
ＬＥＤ素子が配置されるＬＥＤ基板と、前記ＬＥＤ素子からの光を下方に照射する筒状の外筒と、前記外筒の外周面に筒軸回りに放射状に取り付けられる長尺状の金属板バネである固定バネと、を備え、
前記固定バネは、基端が前記外筒に取り付けられ、先端に、抜脱時に埋め込み孔に引っかかる鈎部が形成されており、先端側が径方向内側へ近づくように基端側で曲げられることで蓄積された弾性反発力で前記天井材を押圧し、
前記固定バネのうち基端側の曲げられる部位は、前記鈎部に比べて板幅が狭く形成されている、ＬＥＤ照明装置。
【請求項２】
前記固定バネは、前記外筒に取り付けられる基端部と、下方に向かう板金が径方向外側且つ上方へ折り曲げられて形成された折り曲げ部と、前記折り曲げ部から径方向外側へ延出する延出部と、を有し、
前記延出部のうち前記天井材と接触し得る基端側部位および前記折り曲げ部の板幅が、前記鈎部の板幅よりも狭く形成されている、請求項１に記載のＬＥＤ照明装置。
【請求項３】
前記延出部は、断面において少なくとも幅方向両端部に前記外筒側へ向けて曲がる湾曲部を有する、請求項２に記載のＬＥＤ照明装置。
【発明の詳細な説明】
【技術分野】
【０００１】
本開示は、ＬＥＤ照明装置に関する。
【背景技術】
【０００２】
近年、環境意識の高まりから、省電力化に優れたＬＥＤ（Light Emitting Diode；発光ダイオード）素子を光源に使用したＬＥＤ照明装置が普及している。ＬＥＤ照明装置の一種として、天井材の埋込孔に埋め込み設置されるＬＥＤダウンライトが知られている。
【０００３】
例えば、特許文献１には、ＬＥＤ素子が配置されるＬＥＤ基板と、ＬＥＤ素子からの光を照射する筒状の本体部（外筒）と、外筒の外周に筒軸回りに放射状に取り付けられる長尺状の金属板バネである固定バネと、を有するダウンライトが開示されている。
【０００４】
固定バネは、基端が外筒に取り付けられ、先端に、抜脱時に埋込孔に引っかかる鈎部が形成されている。固定バネは、先端側が径方向内側へ近づくように基端側で曲げられることで蓄積された弾性反発力で天井材を押圧する。
【先行技術文献】
【特許文献】
【０００５】
【特許文献１】特開２０１４−２３５９１７号公報
【発明の概要】
【発明が解決しようとする課題】
【０００６】
しかしながら、特許文献１では、固定バネの板幅が基端から先端まで一定幅であるので、鈎部が引っかかりやすくなるように板幅を大きく設定すれば、天井材を押圧する弾性反発力が強くなりすぎて、ＬＥＤ照明装置を天井材から引き抜く際に天井材が損傷するおそれがある。逆に、天井材が傷つかないように板幅を小さく設定すれば、鈎部が小さくなって引っかかりにくくなるおそれがある。
【０００７】
本開示は、このような課題に着目してなされたものであって、その目的は、先端の鈎部の埋込孔への引っかかりやすさを損なうことなく、天井材の損傷を低減又は防止するＬＥＤ照明装置を提供することである。
【課題を解決するための手段】
【０００８】
本開示は、上記目的を達成するために、次のような手段を講じている。
【０００９】
すなわち、本開示のＬＥＤ照明装置は、天井材の埋め込み孔へ挿入されて取り付けられるＬＥＤ照明装置であって、ＬＥＤ素子が配置されるＬＥＤ基板と、前記ＬＥＤ素子からの光を下方に照射する筒状の外筒と、前記外筒の外周面に筒軸回りに放射状に取り付けられる長尺状の金属板バネである固定バネと、を備え、前記固定バネは、基端が前記外筒に取り付けられ、先端に、抜脱時に埋め込み孔に引っかかる鈎部が形成されており、先端側が径方向内側へ近づくように基端側で曲げられることで蓄積された弾性反発力で前記天井材を押圧し、前記固定バネのうち基端側の曲げられる部位は、前記鈎部に比べて板幅が狭く形成されている。
【００１０】
このように、固定バネのうち基端側の曲げられる部位は、先端の鈎部に比べて板幅が狭く形成されているので、鈎部が引っかかりやすいように板幅を広くしたとしても、天井材を押圧する弾性反発力を小さくできるので、天井材の損傷を低減又は防止可能となる。
【図面の簡単な説明】
【００１１】
【図１】本実施形態のＬＥＤ照明装置を示す斜視図。
【図２】ＬＥＤ照明装置を示す斜視図。
【図３】ＬＥＤ照明装置を構成する各部材を示す分解斜視図。
【図４】ＬＥＤ照明装置の縦断面図。
【図５】ＬＥＤ照明装置を示す平面図。
【図６】図５のＡ−Ａ部位を示す拡大断面図。
【図７Ａ】図５のＢ−Ｂ部位断面図。
【図７Ｂ】変形例を示す図。
【図７Ｃ】変形例を示す図。
【発明を実施するための形態】
【００１２】
以下、本開示の一実施形態の照明装置について、図面を用いて説明する。
【００１３】
［基本構成］
図１〜４に示すように、ＬＥＤ照明装置は、ＬＥＤ（Light Emitting Diode；発光ダイオード）を用いたＬＥＤ素子１０が実装される基板１と、基板１が取り付けられる基台２と、基板１を覆う透光性カバー３と、透光性カバー３を通過した光を反射させる反射部材４と、基台２を支持する外筒５と、天井材の埋め込み孔に固定するための複数の固定バネ６と、を有する。ＬＥＤ照明装置は、図１及び図２に示すように、各部１〜５を組み付けた状態で全体として円柱状部と円筒状部を同軸に結合したような形状をなし、円筒状部が下方Ｘ２に開口するように天井材の埋め込み孔に埋め込まれ、円筒状部から光を照射する。なお、本明細書において理解を容易にするために、上方Ｘ１、下方Ｘ２は、天井材への設置状態での方向を意味する。
【００１４】
外筒５は、図１〜４に示すように、筒状の外筒本体５０と、外筒本体５０の下端に設けられ、天井材への設置状態で化粧枠となる化粧フランジ部５１と、を有する。本実施形態では、外筒５は、樹脂で形成されているが、金属などの任意の部材で形成してもよい。
【００１５】
複数の固定バネ６は、金属で形成されており、図１及び図２に示すように、外筒本体５０の外周面に軸回りに放射状に取り付けられている。本実施形態では、固定バネ６は４つ形成されているが、数は適宜変更可能であり、好ましくは３つ以上あればよい。固定バネ６は、外力を受けていない自然状態で外筒本体５０から径方向外側に延びている。設置前に、固定バネ６は、上方を向くように根本から曲げられ、天井材の埋め込み孔に外筒５と共に挿入される。ＬＥＤ照明装置が埋め込み孔の奥に進むにつれて、固定バネ６は蓄積した弾性反発力によって天井材の裏側にて径方向外側に開き、天井材に係わり合ってＬＥＤ照明装置を支持する。
【００１６】
基台２は、図３及び図４に示すように、ＬＥＤ基板１を取り付けるための基板取付面２０を有する円形板状部位を有し、円形板状部位から軸方向に沿って起立する複数の放熱フィン２１が形成されている。基台２は、放熱フィン２１を含め全体として円柱状に形成されている。基台２の一端面全体が基板取付面２０に設定されている。基台２は、ネジなどの締着具ｖによって外筒５の上端部に固定される。基台２は、熱伝導性を有する金属で形成され、外部に起立する放熱フィン２１が一体に形成されている。これにより、基台２は、ＬＥＤ基板１の熱を基板取付面２０で受けて放熱フィン２１を介して外部に放出する放熱部材としての役割を兼ねている。本実施形態では、基台２は、冷間鍛造によって形成されるが、これに限定されず、例えばダイキャストで製造されていてもよい。基台２は、アルミで構成されているが、熱伝導性を有する材料であれば、アルミに限定されない。
【００１７】
ＬＥＤ基板１は、絶縁性材料で形成され、図３に示すように、複数のＬＥＤ素子１０が表面に実装されている。本実施形態において、ＬＥＤ基板１は円形の板状をなしているが、これに限定されない。例えば、楕円状や矩形状でもよい。複数のＬＥＤ素子１０が格子状に配列されているが、これに限定されない。基板１の形状、ＬＥＤ素子１０の配列は適宜変更可能である。ＬＥＤ基板１は、基台２に対してネジなどの締着具ｖで取り付けられており、基板取付面２０に直接的又は間接的に密着し、基台２に熱を伝熱する。本実施形態では、ＬＥＤ基板１と基板取付面２０との間に、スクリーン印刷した伝熱グリス（熱伝導材）が塗布されているが、これに限定されない。例えば、両者の間に何も介在させずに直接密着させてもよく、また、伝熱シートを介在させてもよい。
【００１８】
図３及び図４に示すように、透光性カバー３（図３参照）は、樹脂で形成され、ＬＥＤ素子１０からの光を拡散させつつ透過させる。透光性カバー３は、ネジなどの締着具によってＬＥＤ基板１と共に基台２に取り付けられる。
【００１９】
反射部材４は、入口４０及び出口４１を有する筒状をなし、内周面が反射面４２に設定されている。反射部材４は、外筒５の内側に挿入され、ＬＥＤ基板１に接することなく外筒５にネジなどの締着具ｖによって固定される。反射部材４は、透光性カバー３を通過して入口４０に入った光が出口４１から出るまでの間に反射面４２により反射させる。本実施形態において、反射部材４は、樹脂で形成されているが、これに限定されず、金属で形成してもよい。
【００２０】
電線を介してＬＥＤ基板１に電力が供給されると、ＬＥＤ素子１０が発光する。ＬＥＤ素子１０からの光は、透光性カバー３を通過しつつ拡散され、反射部材４の入口４０に入る。反射部材４の入口４０に入った光は、一部が反射面４２で反射されながら出口４１から所望の照明対象エリアに向けて照射される。
【００２１】
［詳細な構成］
上記ＬＥＤ照明装置の基本構成に対し、本実施形態では更に以下の構成を有する。
【００２２】
図５及び図６に示すように、固定バネ６は、長尺状の金属板バネであり、外筒５の外周面に筒軸回りに放射状に取り付けられている。固定バネ６は、基端６０が外筒５にネジｖで取り付けられ、先端に鈎部６１が形成されている。鈎部６１は、外力が作用していない自然状態において径方向外側へ延びる先端を下方に折り曲げることで形成される。鈎部６１は、ＬＥＤ照明装置を天井材ｍから抜脱する際に埋め込み孔ｍｈに引っかかる。
【００２３】
固定バネ６は、外筒５に取り付けられる基端部６０と、下方に向かう板金を径方向外側Ｙ１且つ上方Ｘ１へ折り曲げて形成された折り曲げ部６２と、折り曲げ部６２から径方向外側Ｙ１へ延出する延出部６３と、を有する。延出部６３のうち天井材ｍと接触し得る基端側部位６３ａ及び折り曲げ部６２の板幅Ｗ１は、鈎部６１の板幅Ｗ２よりも狭く形成されている。なお、折り曲げ部６２から基端側部位６３ａまでの板幅は一定であるが、これに限定されず、変化させてもよい。
【００２４】
本実施形態では、固定バネ６の板厚が等しいので、固定バネ６の弾性反発力Ｗ[N]は、次の式で算出可能となる。
σ＝（３／２）×（ＷＬ／ｂｔ２）
δ＝（３／８）×（ＷＬ３／Ｅｂｔ３）
σは曲げ応力[N/mm2]、Ｗは弾性反発力（加重）、Ｌは折り曲げ部６２（支点）から天井材ｍとの接触点までの長さ[mm]、ｂは板幅[mm]、ｔは板厚[mm]、Ｅは縦弾性係数[N/mm2]である。
【００２５】
仮に、鈎部６１の板幅Ｗ２が１５ｍｍで、基端側部位６３ａ及び折り曲げ部６２の板幅Ｗ１が同じ１５ｍｍであると、天井材ｍに加わる加重が２４Ｎにもなる。本実施形態では、基端側部位６３ａ及び折り曲げ部６２の板幅Ｗ１が１２ｍｍと幅狭にしてあり、その結果、天井材ｍに加わる加重が１９Ｎに低減することができ、鈎部６１の引っかかりも確保できている。
【００２６】
以上のように、本実施形態のＬＥＤ照明装置は、天井材ｍの埋め込み孔ｍｈへ挿入されて取り付けられるＬＥＤ照明装置であって、ＬＥＤ素子１０が配置されるＬＥＤ基板１と、ＬＥＤ素子１０からの光を下方に照射する筒状の外筒５と、外筒５の外周面に筒軸回りに放射状に取り付けられる長尺状の金属板バネである固定バネ６と、を備える。固定バネ６は、基端６０が外筒５に取り付けられ、先端に、抜脱時に埋め込み孔ｍｈに引っかかる鈎部６１が形成されている。固定バネ６は、先端側が径方向内側へ近づくように基端側で曲げられることで蓄積された弾性反発力で天井材ｍを押圧する。固定バネ６のうち基端側の曲げられる部位（基端側部位６３ａ及び折り曲げ部６２）は、鈎部６１に比べて板幅が狭く形成されている。
【００２７】
このように、固定バネ６のうち基端側の曲げられる部位（基端側部位６３ａ及び折り曲げ部６２）は、先端の鈎部６１に比べて板幅が狭く形成されているので、鈎部６１が引っかかりやすいように板幅を広くしたとしても、天井材ｍを押圧する弾性反発力を小さくできるので、天井材ｍの損傷を低減又は防止可能となる。
【００２８】
本実施形態では、固定バネ６は、外筒５に取り付けられる基端部６０と、下方Ｘ２に向かう板金が径方向外側Ｙ１且つ上方Ｘ１へ折り曲げられて形成された折り曲げ部６２と、折り曲げ部６２から径方向外側Ｙ１へ延出する延出部６３と、を有する。延出部６３のうち天井材ｍと接触し得る基端側部位６３ａおよび折り曲げ部６２の板幅Ｗ１が、鈎部６１の板幅Ｗ２よりも狭く形成されている。
【００２９】
曲げ支点となる折り曲げ部６２から天井材ｍとの接触点までの板幅Ｗ１に応じてバネの弾性反発力が定まるので、このように構成することにより、天井材ｍの損傷を低減又は防止を実現できる。
【００３０】
本開示は上述した実施形態に何ら限定されるものではない。上記の各実施形態で採用している構造を他の任意の実施形態に採用することは可能である。各部の具体的な構成は、上述した実施形態のみに限定されるものではなく、本開示の趣旨を逸脱しない範囲内で種々の改良変更が可能である。
【００３１】
本実施形態では、図７Ａに示すように、天井材ｍの埋め込み孔ｍｈに接触し得る延出部６３は、断面が平板状となっているが、これに限定されない。例えば、図７Ｂに示すように、断面において、延出部１６３の幅方向両端部に、外筒５へ向けて曲がる湾曲部１６４を設けてもよい。湾曲部１６４は、その外表面１６４ａの曲率が天井材ｍの埋め込み孔ｍｈの曲率よりも小さい方が好ましい。図７Ａのように延出部６３の断面が平板状である場合には、延出部６３の角部が天井材ｍに接触するものの、図７Ｂのように湾曲部１６４を設けていれば、延出部１６３のうち曲面である湾曲部１６４が天井材ｍと接触することになるので、天井材ｍの損傷をより一層低減又は防止することが可能となる。
【００３２】
また、図７Ｃに示すように、延出部２６３の断面形状全体が、幅方向中央側よりも幅方向両端部が外筒５側へ向けて曲がる湾曲形状になるようにしてもよい。すなわち、断面において幅方向両端部に外筒５側へ向けて曲がる湾曲部２６４が形成される。この構成によれば、上記と同様に、延出部２６３のうち曲面である湾曲部２６４が天井材ｍに接触することになるので、天井材ｍの損傷をより一層低減又は防止することが可能となる。仮に、鈎部までこの湾曲形状であれば、鈎部が引っかかり易さを向上させることが可能となる。
【００３３】
すなわち、図７Ｂ及び図７Ｃに示すように、延出部１６３（２６３）は、断面において、少なくとも幅方向両端部に湾曲部１６４（２６４）が形成されていれば好ましいといえる。
【符号の説明】
【００３４】
ｍ…天井材
ｍｈ…埋め込み孔
１…ＬＥＤ基板
１０…ＬＥＤ素子
５…外筒
６…固定バネ
６０…基端
６０…基端部
６１…鈎部
６２…折り曲げ部
６３、１６３、２６３…延出部
６３ａ…基端側部位
１６４、２６４…湾曲部
Ｗ１…基端側部位及び折り曲げ部の板幅
Ｗ２…鈎部の板幅
Ｘ１…上方
Ｘ２…下方
Ｙ１…径方向外側
【図１】
2016207375.tif 000003
【図２】
2016207375.tif 000004
【図３】
2016207375.tif 000005
【図４】
2016207375.tif 000006
【図５】
2016207375.tif 000007
【図６】
2016207375.tif 000008
【図７Ａ】
2016207375.tif 000009
【図７Ｂ】
2016207375.tif 000010
【図７Ｃ】
2016207375.tif 000011